(57)【要約】【課題】本発明は、耕耘軸に装着された複数の耕耘爪の後方を覆うリヤカバーを備え、リヤカバー内面の一部に土付着防止板を設けたロータリ耕耘装置において、部品点数を増加させること無く、容易に土付着防止板をリヤカバーに取付けることが可能なロータリ耕耘装置を提供することを課題としている。【解決手段】本発明は、回転可能に軸支された耕耘軸２１に装着された複数の耕耘爪２２と、該複数の耕耘爪２２の少なくとも後方を覆うリヤカバー２４とを備え、リヤカバー２４の耕耘爪２２側の面である内面の一部に土付着防止板４８を設けたロータリ耕耘装置であって、リヤカバー２４の下部を内面側に折返すことにより側面視フック状の係止部４９を形成し、土付着防止板４８の下端部を前記係止部４９に引掛けて係止する。【選択図】図１０
2012065618.tif 000002
【特許請求の範囲】
【請求項１】
回転可能に軸支された耕耘軸（２１）に装着された複数の耕耘爪（２２）と、該複数の耕耘爪（２２）の少なくとも後方を覆うリヤカバー（２４）とを備え、リヤカバー（２４）の耕耘爪（２２）側の面である内面の一部に土付着防止板（４８）を設けたロータリ耕耘装置であって、リヤカバー（２４）の下部を内面側に折返すことにより側面視フック状の係止部（４９）を形成し、土付着防止板（４８）の下端部を前記係止部（４９）に引掛けて係止したロータリ耕耘装置。
【請求項２】
土付着防止板（４８）の上端側に上方開放された切欠き（４８ａ）を形成し、該切欠き（４８ａ）をボルト（５３）に挿通させ、該ボルト（５３）をリヤカバー（２４）の内面に固定することにより、土付着防止板（４８）の上端部がリヤカバー（２４）にボルト固定される請求項１に記載のロータリ耕耘装置。
【発明の詳細な説明】
【技術分野】
【０００１】
この発明は、回転可能に軸支された耕耘軸に装着された複数の耕耘爪と、該複数の耕耘爪の少なくとも後方を覆うリヤカバーとを備えたロータリ耕耘装置に関する。
【背景技術】
【０００２】
回転可能に軸支された耕耘軸に装着された複数の耕耘爪と、該複数の耕耘爪の少なくとも後方を覆うリヤカバーとを備え、リヤカバーの耕耘爪側の面である内面の一部に土付着防止板を設けることにより、泥土等がリヤカバー内面側に付着することを防止するロータリ耕耘装置が従来公知である。
【０００３】
さらに、これを改良したものとして、土付着防止板の上端部を差入れて係止する差込口をリヤカバーの内面に形成し、上端部が差込口に差込まれて係止された土付着防止板の下部をリヤカバーにボルトで固定し、土付着防止板のリヤカバーへの取付作業の手間の軽減させた特許文献１に示すロータリ耕耘装置が従来公知である。
【先行技術文献】
【特許文献】
【０００４】
【特許文献１】特開２００４−２６７１６４号公報（第４図）
【発明の概要】
【発明が解決しようとする課題】
【０００５】
しかし、上記文献のロータリ耕耘装置は、差込口を形成するために、Ｙ字状に形成された一対のプレートが別途必要になるとともに、土付着防止板の上端部を差込口に差込んだ後、土付着防止板の下部をリヤカバーにボルト固定するまでの間に、土付着防止板の自重によって差込口から土付着防止板が抜け出る等、土付着防止板の位置ズレが生じることがあり、土付着防止板の取付作業を効率的に行うことができない場合ある。
【０００６】
本発明は、耕耘軸に装着された複数の耕耘爪の後方を覆うリヤカバーを備え、リヤカバー内面の一部に土付着防止板を設けたロータリ耕耘装置において、部品点数を増加させること無く、容易に土付着防止板をリヤカバーに取付けることが可能なロータリ耕耘装置を提供することを課題としている。
【課題を解決するための手段】
【０００７】
上記課題を解決するため、第１に、回転可能に軸支された耕耘軸２１に装着された複数の耕耘爪２２と、該複数の耕耘爪２２の少なくとも後方を覆うリヤカバー２４とを備え、リヤカバー２４の耕耘爪２２側の面である内面の一部に土付着防止板４８を設けたロータリ耕耘装置であって、リヤカバー２４の下部を内面側に折返すことにより側面視フック状の係止部４９を形成し、土付着防止板４８の下端部を前記係止部４９に引掛けて係止したことを特徴としている。
【０００８】
第２に、土付着防止板４８の上端側に上方開放された切欠き４８ａを形成し、該切欠き４８ａをボルト５３に挿通させ、該ボルト５３をリヤカバー２４の内面に固定することにより、土付着防止板４８の上端部がリヤカバー２４にボルト固定されることを特徴としている。
【発明の効果】
【０００９】
上記構成によれば、リヤカバーの下部を内面側に折返すことにより側面視フック状の係止部を形成し、土付着防止板の下端部を前記係止部に引掛けて係止するため、土付着防止板の下部をリヤカバーの内面側にボルト固定する場合と比べて、ボルトやその他の取付具が不要になり、構成を簡略化できる他、下端部が係止されて位置決めされた土付着防止板を、リヤカバー側に取付けることが可能であるため、土付着防止板の取付作業がより容易且つ簡易になる。
【００１０】
また、土付着防止板の上端側に上方開放された切欠きを形成し、該切欠きをボルトに挿通させ、該ボルトをリヤカバーの内面に固定することにより、土付着防止板の上端部がリヤカバーにボルト固定されれば、リヤカバーにボルトを取付けた状態のまま、切欠きをボルトに挿通させ、土付着防止板の上端部をリヤカバー側に取付固定できるため、土付着防止板の取付作業の利便性が高い。
【図面の簡単な説明】
【００１１】
【図１】本発明を適用した農業用のトラクタの要部側面図である。
【図２】図１のロータリ耕耘装置の斜視図である。
【図３】図１のロータリ耕耘装置の正面図である。
【図４】図１のロータリ耕耘装置の平面図である。
【図５】図１のロータリ耕耘装置の側面図である。
【図６】リヤカバーの背面側の分解斜視図である。
【図７】リヤカバーの正面側の斜視図である。
【図８】図６の要部拡大図である。
【図９】土付着防止板の取付構造を示す分解斜視図である。
【図１０】（Ａ）は土付着防止板をリヤカバーに取付ける手段を示す側面図であり、（Ｂ）は土付着防止板をリヤカバーに取付けた状態の側面図である。
【図１１】スクレーパによってリヤカバーの内面側に付着した土を掻落す状態を示す側面図である。
【発明を実施するための形態】
【００１２】
図１は、本発明を適用した農業用のトラクタの要部側面図である。図示するトラクタは、作業車両の一種であり、前輪（図示しない）及び後輪１を有する走行機体２の後方に、昇降リンク３及びオートヒッチ４を介して、ロータリ耕耘装置６を昇降自在に連結することにより、構成されている。
【００１３】
このロータリ耕耘装置６は、トップリンク７及び左右のロアリンク８よりなる昇降リンク３の後端側に設置されたオートヒッチ４に、着脱自在に連結支持されている。走行機体２に上下揺動駆動可能に支持された左右のリフトアーム９の後端部には、リフトロッド１１を介して、左右のロアリンク８の中途部がそれぞれ吊下げ支持され、このリフトアーム９の上下揺動によって、ロータリ耕耘装置６が昇降駆動される。
【００１４】
図２乃至５は、図１のロータリ耕耘装置の斜視図、正面図、平面図および側面図である。ロータリ耕耘装置１は、ギヤケース１２と、該ギヤケース１２から左右両側にそれぞれ一体的に突出された一対の円筒部１３，１３と、ギヤケース１２からは上方に向かって前後二股に分かれるトップマスト１４と、左右一方側（図示する例では左側）の円筒部１３の突出端側から下方に延設された上下方向の伝動ケース１６と、左右他方側の円筒部１３の突出端から下方に延設された上下方向のサイドプレート１７と、伝動ケース１６下端部とサイドプレート１７下端部の間に設置されたロータリ１８と、該ロータリ１８をカバーするロータリカバー１９とを備えている。
【００１５】
ロータリ１８は、伝動ケース１６下端部とサイドプレート１７下端部の間に軸支されて自身の軸回りに回転する左右方向の耕耘軸２１と、耕耘軸２１に装着されて該耕耘軸２１と一体で回転する複数の耕耘爪２２とから構成されている。ギヤケース１２内には、走行機体２からのエンジン動力が、ＰＴＯ軸によって入力される。ギヤケース内に入力された動力は、ギヤケース１２内のギヤ機構→円筒部１３内の伝動軸→伝動ケース１６内の伝動チェーン→耕耘軸２１と伝動され、ロータリ１８を回転駆動させる。
【００１６】
ロータリカバー１９は、複数の耕耘爪２２（ロータリ１８）の上方を覆うメインカバー２３と、複数の耕耘爪２２（ロータリ１８）の後方を覆うリヤカバー２４と、メインカバー２３及びリヤカバー２４の左右にそれぞれ配置された一対のサイドカバー２６とを備えている。サイドプレート１７と伝動ケース１６との間に位置するメインカバー２３は、プレート状の支持部材によって、耕耘軸２１の軸回りに前後回動可能に軸支されている。リヤカバー２４は、全体が上下揺動するように、その上端部が、メインカバー２３後端部に、左右方向の支持軸２７を介して支持されており、該支持軸２７から後方斜め下方に傾斜している。
【００１７】
メインカバー２３は、ロータリ１８の沿うように側面上方に膨出した円弧状に成形されており、このメインカバー２３後端部の左右方向中央部は、操作ロッド２８を介して、トップマスト１４側に連結支持されている。トップマスト１４側の操作レバー２９を前後揺動操作して、該操作ロッド２８を前後動させることにより、メインカバー２３の前後回動位置の調整を行うとともに、この操作レバー２９をトップマスト１４に位置決め固定することにより、メインカバー２３が、操作レバー２９の固定位置に応じた所定の前後回動位置で固定される。ちなみに左右にサイドカバー２６は、メインカバー２３に固定され、メインカバー２３と一体で、前後に可動する。
【００１８】
リヤカバー２４は、左右方向の支持軸２７回りに上下揺動自在に支持されるとともに、左右一対の吊りロッド３１，３１を介して、メインカバー２３に吊下げ連結されている。左右の吊りロッド３１の前部は、メインカバー２３の後端部に固設された左右のメイン側ブラケット３２に軸方向のスライド自在にそれぞれ取付支持される一方で、左右の吊りロッド３１の後端部は、リヤカバー２４に設置された左右のリヤ側ブラケット３３にそれぞれ回動自在に軸支されている。
【００１９】
左右の各メイン側ブラケット３２には、自身に挿通支持された吊りロッド３１を固定する固定状態と、この固定を解除する解除状態との切換を行う切換手段３４が設けられている。この切換手段３４によって上記固定状態に切換えた場合には、メインカバー２３に対してリヤカバー２４が所定の上下揺動位置で固定される一方で、切換手段３４によって上記解除状態に切換えた場合には、メインカバー２３に対してリヤカバー２４が上下揺動自在な状態になる。
【００２０】
この解除状態において、リヤカバー２４が圃場面側に押圧されるように、各吊りロッド３１におけるメイン側ブラケット３２とリヤ側ブラケット３３の間には、圧縮スプリング３６が外装されている。上記複数の耕耘爪２２で耕耘された耕耘土が、解除状態のリヤカバー２４によって、効率的に均平される。
【００２１】
以上のように構成されるトラクタでは、走行機体２を前進走行させながら、ロータリ耕耘装置６を駆動させ、耕耘軸２１回りに回転する耕耘爪２２によって圃場の耕耘を行いながら、リヤカバー２４によって、耕耘土の均平を同時に行う。この際、メインカバー２３によってロータリ１８上方側への泥土等の飛散が防止され、リヤカバー２４によってロータリ１８後方側への泥土等の飛散が防止され、左右のサイドカバー２６によってロータリ１８の左右両側方への泥土等の飛散が防止される。
【００２２】
次に、図２，図６〜８に基づき、リヤカバーの構成について詳述する。
図６は、リヤカバーの背面側の分解斜視図であり、図７は、リヤカバーの正面側の斜視図であり、図８は、図６の要部拡大図である。鉄製のリヤカバー２４は、本体となるカバー体３７と、カバー体３７に着脱自在に取付固定される着脱カバー体３８とによって構成されており、このリヤカバー２４の全体形状は、下部が中途部に対して後方に湾曲形成されている。
【００２３】
カバー体３７の左右方向中央部と、左端部と、右端部とには、それぞれ下方が開放された切欠き状部３９Ｃ，３９Ｌ，３９Ｒが切抜き形成されている。中央側の切欠き状部３９Ｃは、左右対称な山形をなす中央側切欠き状部であり、左側の切欠き状部３９Ｌは、中央側切欠き状部３９Ｃの左側半部と略同一形状であって外側側方も開放された左側切欠き状部であり、右側の切欠き状部３９Ｒは、中央側切欠き状部３９Ｃの右側半部と略同一形状であって外側側方も開放された右側切欠き状部である。
【００２４】
着脱カバー体３８は、複数の切欠き状部３９Ｃ，３９Ｌ，３９Ｒ毎に各別に設けられ、対応する切欠き状部３９Ｃ，３９Ｌ，３９Ｒを塞ぐように（切欠き状部３９Ｃ，３９Ｌ，３９Ｒによって後方側に露出するロータリ１８を覆うように）、該切欠き状部３９Ｃ，３９Ｌ，３９Ｒの周縁に沿う形状に成形されており、該着脱カバー体３８は、対応する切欠き状部３９Ｃ，３９Ｌ，３９Ｒを、リヤカバー２４の耕耘爪２２と対向しない側の面である外面（後面）側から塞ぐように、該切欠き状部３９Ｃ，３９Ｌ，３９Ｒよりも広めに面積が設定されている。
【００２５】
さらに具体的な着脱カバー体３８の構成を説明すると、着脱カバー体３８は、その約半分が、自身の耕耘爪２１側の面である内面（前面）に向かって上方側に折返され、その折返された部分の上部が、自身の内面に溶接等で接合されている。着脱カバー体３８の該折返された部分は、対応する切欠き状部３９Ｃ，３９Ｌ，３９Ｒに挿入可能な大きさであって、非折返し部分よりも面積が狭く設定されている。
【００２６】
上述したカバー体３７の下端部には、中空状の袋部４１が形成されている。該袋部４１は、カバー体３７における支持軸２７と反対側端である自由端（先端）を、自身の耕耘爪２２側の面である内面（前面）に向かって上方に折返すことにより形成されており、袋部４１の側面視形状は、着脱カバー３８下端部の折返し部分の側面視形状と略同一形状をなしている。
【００２７】
この袋部４１における切欠き状部３９Ｃ，３９Ｌ，３９Ｒと接する各側部は開放されて開放端をなしており、該開放端は、プレート状の閉塞蓋４２によって閉塞される。閉塞蓋４２は袋部４１内に差込まれる左右方向の板状の差込部４３を有している。該差込部４３の上面には、ネジ側が上方を向いた取付ボルト４４が溶着固定される一方で、該袋部４１の開放端上部には、切欠き状部３９Ｃ，３９Ｌ，３９Ｒに向かって開放された左右方向の取付用切欠き４１ａが形成されている。
【００２８】
そして、取付ボルト４４を取付用切欠き４１ａに挿通させた状態で、差込部４３を袋部４１内に挿入することにより、袋部４１の開放端を閉塞し、続いて、カバー体３７の外面側に突出した取付ボルト４４を、着脱カバー体３８の挿通孔３８ａに挿通させた後、着脱カバー体３８の外面から上方突出した取付ボルト４４の突出端部にノブナット４６を係合させて締付けることにより、着脱カバー体３８と閉塞蓋４２の間にカバー体３７に締着され、これによって、着脱カバー体３８が、カバー体３７の袋部４１側に取付固定される。ちなみに、着脱カバー体３８の上端部も、カバー体３７の内面側から外面側に挿通させる挿通ボルト４７と、ノブナット４６によって、カバー体３７の外面に締着固定させる。
【００２９】
このように、袋部４１を閉塞する閉塞蓋４２によって、着脱カバー体３８をカバー体３７に取付ける部材も兼用させるため、部品点数を少なくすることが可能になる他、着脱カバー３８の取付け及び取外しによって、袋部４１を開閉させ、この袋部４１に土等を錘Ｗとして充填することも容易であり、この充填させる錘の量を変更することにより、リヤカバー２４の圃場面を押圧する力を適宜調整することも容易である。
【００３０】
また、取付ボルト４４が、一端を開放させた取付用切欠き４１ａに挿通されているため、ノブナット４６を、取付ボルト４４から取外すこと無く、緩めるのみで、着脱カバー４４を、カバー体３７から取外すことが可能であるため、利便性が高い。
【００３１】
また、図７に示すように、カバー体の耕耘爪と対向する面である内面には、リヤカバー側への耕耘土等の付着を防止する土付着防止板４８が設置されている。ちなみに、土付着防止板４８の材質としては、ステンレス製部材又は合成樹脂製部材を用いているが、錆び難く表面が滑らかなまま保持されて、表面の摩擦係数も低く、傷が付きにくいものであればこれらの部材に限定されるものではない。ちなみに、本例では、ステンレス板を用いる。
【００３２】
次に、図７、図９〜図１１に基づき、土付着防止板４８の取付構造について説明する。
図９は、土付着防止板の取付構造を示す分解斜視図であり、図１０（Ａ）は土付着防止板をリヤカバーに取付ける手段を示す側面図であり、（Ｂ）は土付着防止板をリヤカバーに取付けた状態の側面図である。土付着防止板４８は、カバー体３８の内面の形状と略同一形状に成形されているため、このカバー体３８の内面に土付着防止板４８を面状に接触させた状態で、該土付着防止板４８がリヤカバー２４に取付固定される。
【００３３】
具体的には、カバー体３８における左右一対の袋部４１の内面側上端（リヤカバー２４内面の下部）にそれぞれ形成されたフック状の係止部４９に、土付着防止板４８の二股の分かれた下端部を、それぞれ引掛けて係止させるとともに、カバー体３８の内面側上端部に、土付着防止板４８の上端部をボルト固定することにより、土付着防止板４８がリヤカバー２４の内面側に取付固定される。
【００３４】
係止部４９は、カバー体３７（リヤカバー２４）の先部側を、上述のように自身の内面に向かって上方に折返し、この折返し部分の上端部３７ａを、リヤカバー２４の内面から離間する側に曲げ形成（さらに具体的には屈曲形成）することにより、構成されている。該構成から係止部４９は、側断面視上方に向かって広がる楔状のフック形状をなし、この上方に向かって拡がる係止部４９に、土付着防止板４８の下端部を差込むことにより、土付着防止板４８が係止部４９に受止められて係止される。
【００３５】
ちなみに、このカバー体３７の折返し部分は、図示する例では、カバー体３７の折返されない部分である非折折返し部分とは別体で成形され、この折返し部分の上端部及び下端部を非折返し部分に溶接等で固着することにより、上述の袋部４１を形成しているが、この折返し部分を、非折返し部分と一体で成形してもよい。
【００３６】
一方、土付着防止板４８の上端部は、左右方向のカバープレート５１と共に、カバー体３７の上端部に共締めされている。
【００３７】
上述の支持軸２７はカバー体３７の上端部に固着されているが、この支持軸２７へのロータリ１８側からの耕耘土等の侵入を防止する部材として、前記カバープレート５１が機能しており、該カバープレート５１は、弾性変形可能な合成樹脂製の板状部材であって、リヤカバー２４の左右幅の略全体に亘り形成され、支持軸２７と、ロータリ１８側とを隔てている。さらに、この左右方向カバープレート５１は、上側半部が、下側半部に対して、ロータリ１８側に湾曲し、より効率的にロータリ１８側から支持軸２７側への耕耘等の侵入を防止している。
【００３８】
このカバープレート５１の下部は、左右方向の押えプレート５２によって、カバー体３７の上端部に押圧され、この押圧状態で、リヤカバー２４の内面側から押えプレート５２、カバープレート５１及びカバー体３７にボルト５３を挿入させて締付けることにより、緩みが防止された状態で、カバープレート５１及び押えプレート５２が、リヤカバー２４に締着固定される。
【００３９】
このボルト５３は、左右方向に複数配置されるが、このボルト５３を介して、土付着防止板４８も、リヤカバー２４の内面上端部に締着固定させる。
【００４０】
具体的には、土付着防止板４８の上端側における該ボルト５３が位置する個所には、それぞれ上方が開放された切欠き４８ａが形成されており、まず、カバープレート５１を締着固定させている上記ボルト５３を緩めた後、切欠き４８ａにボルト５３の周囲が挿入されるようにして、土付着防止板４８の上端部を、該カバープレート５１とリヤカバー２４との間に差込むことにより、該切欠き４８ａをボルト５３に挿通させる（逆に言えば、切欠き５３にボルト５３を挿通させる）。
【００４１】
続いて、切欠き４８ａ内においてボルト５３周囲が下方移動する範囲内で、土付着防止板４８を上方移動させた後、土付着防止板４８の下端部を、係止部４９に差込む。このようにして、下端部が係止部４９によって受止められ、確実に位置決めされた状態で、切欠きを挿通させた複数の各ボルト５３を締付けることにより、土付着防止板４８がカバープレート５１と共に、カバー体３７（リヤカバー２４）に取付固定される。
【００４２】
このような切欠き４８ａの構成によって、ボルト５３、カバープレート５１及び押えプレート５２とを、リヤカバー２４から取外すことなく、該ボルト５３を緩めるのみによって、土付着防止板４８のリヤカバー２４に対する取付け及び取外すが可能であるため、土付着防止板４８の着脱作業を迅速且つ容易に行うことが可能になる。
【００４３】
また、着脱容易な土付着防止板４８は、交換も容易であるため、土付着防止作用が弱まった土付着防止板４８を、新しい土付着防止板４８に、迅速且つ容易に交換することも可能になる他、リヤカバー２４の全体を土付着防止作用のある部材で構成する場合と比べて費用も安く抑えることが可能になる。
【００４４】
図１１は、スクレーパによってリヤカバーの内面側に付着した土を掻落す状態を示す側面図である。同図に示すように、係合部４９は、リヤカバー２４の内面に対して沿うように傾斜した上方開放の楔状をなすため、リヤカバー２４の内面側に付着した土等を、スクレーパＳ等で掻取るにあったて、スクレーバＳの先端を上方に向けてスライド移動させれば、係止部４９にスクレーパＳが引っ掛ることが無く、土付着防止板４８の下端部をボルト固定した場合と比べて、スムーズな掻取り作業を行うことが可能になる。
【符号の説明】
【００４５】
２１  耕耘軸
２２  耕耘爪
２４  リヤカバー
４８  土付着防止板
４８ａ  切欠き
４９  係止部
５３  ボルト
【図１】
2012065618.tif 000003
【図２】
2012065618.tif 000004
【図３】
2012065618.tif 000005
【図４】
2012065618.tif 000006
【図５】
2012065618.tif 000007
【図６】
2012065618.tif 000008
【図７】
2012065618.tif 000009
【図８】
2012065618.tif 000010
【図９】
2012065618.tif 000011
【図１０】
2012065618.tif 000012
【図１１】
2012065618.tif 000013